(57)【特許請求の範囲】
【請求項１】
タッチスクリーンディスプレイと、
前記タッチスクリーンディスプレイに第１のホーム画面が表示された状態で、前記タッチスクリーンディスプレイに対してアイコンを選択する第１の操作が行われ、かつ、前記アイコンに対する操作以外の操作である第２の操作が行われると、前記アイコンおよび第２のホーム画面を前記タッチスクリーンディスプレイに表示させるコントローラと、
を備える装置。
【請求項２】
前記第２の操作は、前記タッチスクリーンディスプレイに表示されるホーム画面を切り替える操作である請求項１に記載の装置。
【請求項３】
前記コントローラは、前記第２のホーム画面を前記タッチスクリーンディスプレイに表示させるときに、前記選択されたアイコンを、前記第１のホーム画面上で配置されていた位置と同じ位置に表示する請求項１または２に記載の装置。
【請求項４】
前記コントローラは、前記第２のホーム画面を前記タッチスクリーンディスプレイに表示させた後に前記第２の操作が検出された場合に、前記選択されたアイコンを表示したままで、前記第２のホーム画面に替えて第３のホーム画面を前記タッチスクリーンディスプレイに表示させる請求項１から３のいずれか１項に記載の装置。
【請求項５】
前記コントローラは、前記第２のホーム画面を前記タッチスクリーンディスプレイに表示させた後に第３の操作が検出された場合に、前記選択されたアイコンを前記第２のホーム画面に配置させる請求項１から４のいずれか１項に記載の装置。
【請求項６】
前記コントローラは、前記選択されたアイコンを他のアイコンとは異なる態様で表示させる請求項１から５のいずれか１項に記載の装置。
【請求項７】
前記コントローラは、前記第１のホーム画面に配置された複数のアイコンが選択された後に、選択された複数のアイコン以外の位置での第２の操作が検出された場合に、当該選択された複数のアイコンを表示したままで、前記第１のホーム画面に替えて前記第２のホーム画面を前記タッチスクリーンディスプレイに表示させる請求項１から６のいずれか１項に記載の装置。
【請求項８】
前記コントローラは、前記タッチスクリーンディスプレイに表示された前記第２のホーム画面に配置されたアイコンと前記選択されたアイコンとが同じ位置に表示される場合に、少なくとも一方のアイコンを表示する位置をずらす請求項１から７のいずれか１項に記載の装置。
【請求項９】
前記第１の操作は、アイコンにタッチする操作であり、
前記コントローラは、アイコンへのタッチが継続されたままで前記第２の操作が検出された場合に、前記選択されたアイコンを表示したままで、前記第１のホーム画面に替えて第２のホーム画面を前記タッチスクリーンディスプレイに表示させる請求項１に記載の装置。
【請求項１０】
タッチスクリーンディスプレイを備える装置を制御する方法であって、
アイコンが配置される第１のホーム画面を前記タッチスクリーンディスプレイに表示させるステップと、
前記アイコンを選択する第１の操作を検出するステップと、
前記第１の操作以外の操作である第２の操作を検出するステップと、
前記第１の操作および前記第２の操作が検出された場合に、前記アイコンおよび第２のホーム画面を前記タッチスクリーンディスプレイに表示させるステップと、
を含む方法。
【請求項１１】
タッチスクリーンディスプレイを備える装置に、
アイコンが配置される第１のホーム画面を前記タッチスクリーンディスプレイに表示させるステップと、
前記アイコンを選択する第１の操作を検出するステップと、
前記第１の操作以外の操作である第２の操作を検出するステップと、
前記第１の操作および前記第２の操作が検出された場合に、前記アイコンおよび第２のホーム画面を前記タッチスクリーンディスプレイに表示させるステップと、
を実行させるプログラム。
【発明の詳細な説明】
【技術分野】
【０００１】
本発明は、装置、方法、及びプログラムに関する。特に、本発明は、タッチスクリーンディスプレイを有する装置、その装置を制御する方法、及びその装置を制御するためのプログラムに関する。
【背景技術】
【０００２】
タッチスクリーンディスプレイを備える装置が知られている。タッチスクリーンディスプレイを備える装置には、例えば、スマートフォン及びタブレットが含まれる。タッチスクリーンディスプレイを備える装置は、タッチスクリーンディスプレイを介して指又はスタイラスペンのジェスチャを検出する。そして、タッチスクリーンディスプレイを備える装置は、検出したジェスチャに従って動作する。検出したジェスチャに従った動作の例は、例えば、特許文献１に記載されている。
【０００３】
タッチスクリーンディスプレイを備える装置の基本的な動作は、装置に搭載されるＡｎｄｒｏｉｄ（登録商標）、ＢｌａｃｋＢｅｒｒｙ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
タッチスクリーンディスプレイを備える装置の多くは、ホーム画面と呼ばれる画面をタッチスクリーンディスプレイに表示する。ホーム画面には、アイコンが配置される。本発明は、ホーム画面上に配置されたアイコンを容易に移動させることを可能にする装置、方法、及びプログラムを提供することを目的とする。
【課題を解決するための手段】
【０００６】
本発明に係る装置は、１つの態様において、タッチスクリーンディスプレイと、前記タッチスクリーンディスプレイに第１のホーム画面が表示された状態で、前記タッチスクリーンディスプレイに対してアイコンを選択する第１の操作が行われ、かつ、前記アイコンに対する操作以外の操作である第２の操作が行われると、前記アイコンおよび第２のホーム画面を前記タッチスクリーンディスプレイに表示させるコントローラと、を備える。
【０００７】
本発明に係る方法は、１つの態様において、タッチスクリーンディスプレイを備える装置を制御する方法であって、アイコンが配置される第１のホーム画面を前記タッチスクリーンディスプレイに表示させるステップと、前記アイコンを選択する第１の操作を検出するステップと、前記第１の操作以外の操作である第２の操作を検出するステップと、前記第１の操作および前記第２の操作が検出された場合に、前記アイコンおよび第２のホーム画面を前記タッチスクリーンディスプレイに表示させるステップと、を含む。
【０００８】
本発明に係るプログラムは、１つの態様において、タッチスクリーンディスプレイを備える装置に、アイコンが配置される第１のホーム画面を前記タッチスクリーンディスプレイに表示させるステップと、前記アイコンを選択する第１の操作を検出するステップと、前記第１の操作以外の操作である第２の操作を検出するステップと、前記第１の操作および前記第２の操作が検出された場合に、前記アイコンおよび第２のホーム画面を前記タッチスクリーンディスプレイに表示させるステップと、を実行させる。
【図面の簡単な説明】
【０００９】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、ホーム画面の切り替えの例を示す図である。
【図７】図７は、ホーム画面間でのアイコンの移動の例を示す図である。
【図８】図８は、ホーム画面間でのアイコンの移動の他の例を示す図である。
【図９】図９は、ホーム画面間でのアイコンの移動の他の例を示す図である。
【図１０】図１０は、ホーム画面上でのアイコンの入れ替えの例を示す図である。
【図１１】図１１は、ホーム画面上のアイコンを移動させる制御の処理手順を示すフローチャートである。
【図１２】図１２は、配置変更モードへ遷移することなくアイコンの移動を可能にする例を示す図である。
【発明を実施するための形態】
【００１０】
本発明を実施するための実施形態を、図面を参照しつつ詳細に説明する。以下では、タッチスクリーンディスプレイを備える装置の一例として、スマートフォンについて説明する。
【００１１】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１３】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字及び図形等を表示する。
【００１４】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００１６】
スマートフォン１は、タッチスクリーン２Ｂにより検出された接触及び接触が行われた位置に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１７】
タッチは、タッチスクリーン２Ｂに指が触れるジェスチャである。スマートフォン１は、タッチスクリーン２Ｂに指が接触するジェスチャをタッチとして判別する。ロングタッチとは、タッチスクリーン２Ｂに指が一定時間以上触れるジェスチャである。スマートフォン１は、タッチスクリーン２Ｂに指が一定時間以上接触するジェスチャをロングタッチとして判別する。
【００１８】
リリースは、指がタッチスクリーン２Ｂから離れるジェスチャである。スマートフォン１は、指がタッチスクリーン２Ｂから離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００１９】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２０】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２１】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２２】
ピンチインは、複数の指が近付く方向にスワイプするジェスチャである。スマートフォン１は、複数の指が近付く方向にスワイプするジェスチャをピンチインとして判別する。ピンチアウトは、複数の指が遠ざかる方向にスワイプするジェスチャである。スマートフォン１は、複数の指が遠ざかる方向にスワイプするジェスチャをピンチアウトとして判別する。
【００２３】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２４】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションは、ホーム画面とは異なる画面をディスプレイ２Ａに表示させる。
【００２５】
スマートフォン１は、ホーム画面にアイコンを配置することができる。図４に示すホーム画面４０には、複数のアイコン５０が配置されている。それぞれのアイコン５０は、スマートフォン１にインストールされている特定のアプリケーションと予め対応付けられている。スマートフォン１は、アイコン５０に対する特定のジェスチャ（例えば、タップ）を検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２６】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って壁紙として決定される。
【００２７】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００２８】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００２９】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３０】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３１】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限られない。
【００３２】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３３】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、コネクタ１４と、加速度センサ１５と、方位センサ１６と、ジャイロスコープ１７とを有する。
【００３４】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３５】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３６】
例えば、ボタン３Ａ〜３Ｃは、ホームボタン、バックボタンまたはメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３７】
照度センサ４は、照度を検出する。例えば、照度とは、光の強さ、明るさ、輝度等である。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。
【００３８】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格として、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ等がある。通信ユニット６は、上述した通信規格の１つ又は複数をサポートしていてもよい。
【００３９】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、または、レシーバ７に代えて、スピーカをさらに有してもよい。
【００４０】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４１】
ストレージ９に記憶されるプログラムには、フォアグランドまたはバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４２】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。設定データ９Ｚは、スマートフォン１の動作に関する各種の設定に関する情報を含む。
【００４３】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４４】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４５】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４６】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４７】
カメラ１２は、フロントフェイス１Ａに面している物体を撮影するインカメラである。カメラ１３は、バックフェイス１Ｂに面している物体を撮影するアウトカメラである。
【００４８】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。コネクタ１４は、Ｄｏｃｋコネクタのような専用に設計された端子でもよい。コネクタ１４に接続される装置には、例えば、外部ストレージ、スピーカ、通信装置が含まれる。
【００４９】
加速度センサ１５は、スマートフォン１に働く加速度の方向及び大きさを検出する。方位センサ１６は、地磁気の向きを検出する。ジャイロスコープ１７は、スマートフォン１の回転を検出する。加速度センサ１５、方位センサ１６及びジャイロスコープ１７の検出結果は、スマートフォン１の位置及び姿勢の変化を検出するために、組み合わせて利用される。
【００５０】
なお、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、コネクタ１４に接続される読み取り装置が読み取り可能なＣＤ、ＤＶＤ、又はＢｌｕ−ｒａｙ等の記憶媒体に記憶されていてもよい。
【００５１】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてもよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。
【００５２】
図６から図１０を参照しながら、制御プログラム９Ａが提供する機能に基づく制御の例について説明する。図６は、ホーム画面の切り替えの例を示す図である。図６に示す例では、スマートフォン１は、４つのホーム画面を有している。ステップＳ１１では、ホーム画面４０ａがディスプレイ２Ａに表示されている。ロケータ５１が示すように、ホーム画面４０ａは、最も左に位置するホーム画面である。ホーム画面４０ａには、中心よりも上側の領域に７つのアイコン５０が配置される。
【００５３】
スマートフォン１は、ホーム画面４０ａの表示中に指Ｆ１による左フリックを検出すると、ステップＳ１２に示すように、ディスプレイ２Ａに表示する画面をホーム画面４０ａからホーム画面４０ｂへ切り替える。ロケータ５１が示すように、ホーム画面４０ｂは、左から２番目に位置するホーム画面である。ホーム画面４０ｂには、中心よりも下側の領域に６つのアイコン５０が配置される。
【００５４】
スマートフォン１は、ホーム画面４０ｂの表示中に指Ｆ１による左フリックを検出すると、ステップＳ１３に示すように、ディスプレイ２Ａに表示する画面をホーム画面４０ｂからホーム画面４０ｃへ切り替える。ロケータ５１が示すように、ホーム画面４０ｃは、左から３番目に位置するホーム画面である。ホーム画面４０ｃには、中心よりも上側の領域に１つのアイコン５０が配置される。
【００５５】
スマートフォン１は、ホーム画面４０ｃの表示中に指Ｆ１による左フリックを検出すると、ステップＳ１４に示すように、ディスプレイ２Ａに表示する画面をホーム画面４０ｃからホーム画面４０ｄへ切り替える。ロケータ５１が示すように、ホーム画面４０ｄは、最も右に位置するホーム画面である。ホーム画面４０ｄには、アイコン５０が配置されていない。
【００５６】
図６では、ホーム画面の表示中に左フリックが検出された場合について説明したが、スマートフォン１は、ホーム画面の表示中に右フリックが検出された場合には、図６に示した例とは逆にホーム画面を切り替える。例えば、スマートフォン１は、ホーム画面４０ｄの表示中に指Ｆ１による右フリックを検出すると、ディスプレイ２Ａに表示する画面をホーム画面４０ｄからホーム画面４０ｃへ切り替える。
【００５７】
図６では、ホーム画面の表示中にフリックが検出された場合に表示するホーム画面を切り替えることとしたが、スマートフォン１は、フリック以外の操作が検出された場合にホーム画面を切り替えてもよい。例えば、スマートフォン１は、ホーム画面の表示中に右方向又は左方向への所定の距離以上のスワイプが検出された場合に、スワイプの方向に応じてホーム画面を切り替えてもよい。
【００５８】
このように、スマートフォン１は、ホーム画面の表示中に所定のジェスチャが検出された場合に、ディスプレイ２Ａに表示するホーム画面を切り替える。
【００５９】
図７は、ホーム画面間でのアイコンの移動の例を示す図である。図７に示すステップＳ２１では、ホーム画面４０ａがディスプレイ２Ａに表示されている。利用者は、ホーム画面４０ａ上のアイコン５０を移動させたい場合、指Ｆ１を用いてそのアイコン５０に対してロングタップを行う。スマートフォン１は、アイコン５０に対するロングタップを検出すると、配置変更モードを設定する。そして、スマートフォン１は、ロングタップが行われたアイコン５０を選択状態とし、その他のアイコン５０を非選択状態とする。
【００６０】
スマートフォン１は、アイコン５０に対するロングタップ以外のジェスチャを検出した場合に、配置変更モードを設定してもよい。例えば、スマートフォン１は、アイコン５０に対するダブルタップを検出した場合に、配置変更モードを設定してもよい。この場合、スマートフォン１は、ダブルタップが行われたアイコン５０を選択状態とし、その他のアイコン５０を非選択状態とする。
【００６１】
配置変更モードにおいて、スマートフォン１は、選択状態のアイコン５０と、非選択状態のアイコン５０とを異なる態様で表示させる。例えば、スマートフォン１は、ステップＳ２２に示すように、選択状態のアイコン５０を相対的に高い明度で表示し、非選択状態のアイコン５０を相対的に低い明度で表示する。スマートフォン１は、選択状態のアイコン５０を細かく振動するように表示し、非選択状態のアイコン５０を静止した状態で表示させてもよい。
【００６２】
利用者は、非選択状態となっている別のアイコン５０をさらに移動させたい場合、指Ｆ１を用いてそのアイコン５０をタップする。スマートフォン１は、配置変更モードにおいて、非選択状態にあるアイコン５０に対するタップを検出すると、ステップＳ２３に示すように、タップされたアイコン５０を選択状態とする。非選択状態となっているアイコンを選択状態にするためのジェスチャは、ロングタップ又はダブルタップ等の他のジェスチャでもよい。
【００６３】
利用者は、移動させたい全てのアイコン５０を選択状態にした後で、表示されるホーム画面を切り替えるための所定のジェスチャを行って、アイコン５０の移動先のホーム画面をディスプレイ２Ａに表示させる。スマートフォン１は、配置変更モードにおいてホーム画面を切り替える場合、新たに表示される画面に配置されているアイコンを非選択状態にする。また、スマートフォン１は、選択状態にあるアイコンを、切り替え後のホーム画面においても、切り替え前に表示されていた位置と同じ位置に表示させる。
【００６４】
図７に示す例では、スマートフォン１は、配置変更モードにおいて指Ｆ１による左フリックを検出したことを契機として、ステップＳ２４に示すように、ディスプレイ２Ａに表示する画面をホーム画面４０ａからホーム画面４０ｂへ切り替えている。そして、スマートフォン１は、ホーム画面４０ｂに配置されているアイコン５０を非選択状態にしている。また、スマートフォン１は、選択状態にある２つのアイコン５０を、ホーム画面４０ａが表示されていたときと同じ位置に表示させている。
【００６５】
利用者は、選択状態にあるアイコン５０の移動先のホーム画面がディスプレイ２Ａに表示されると、配置変更モードを終了させるための所定の操作を実行する。配置変更モードを終了させるための所定の操作は、例えば、ボタン３を押下する操作である。配置変更モードを終了させるための所定の操作は、タッチスクリーンディスプレイ２上のアイコン５０が表示されていない領域をタップする操作、又は、スマートフォン１を振る操作等の他の操作でもよい。
【００６６】
スマートフォン１は、配置変更モードを終了させるための所定の操作を検出すると、アイコン５０の選択状態又は非選択状態を解除して通常の状態に戻す。図７に示す例では、スマートフォン１は、ステップＳ２５でボタン３Ｃの押下を検出したことを契機として、ステップＳ２６に示すように、それぞれのアイコン５０を通常の状態に戻している。その結果、ホーム画面４０ａに表示されていた２つのアイコン５０は、利用者の意図した通りに、ホーム画面４０ｂに移動している。
【００６７】
このように、スマートフォン１は、選択状態にあるアイコンをホーム画面の切り替え後も同じ位置に表示させることによって、ホーム画面間でのアイコンの移動を実現する。この方法では、利用者は、選択状態にあるアイコンの移動先のホーム画面を指定するために、ホーム画面を切り替える際に通常行う操作を行えばよい。このため、利用者は、アイコンの移動先のホーム画面を容易に指定することができる。
【００６８】
図８は、ホーム画面間でのアイコンの移動の他の例を示す図である。図８に示すステップＳ３１では、図７に示したステップＳ２４と同様に、配置変更モードにおいてホーム画面が切り替えられ、選択状態にある２つのアイコンが切り替え前と同じ位置に表示されている。
【００６９】
利用者は、選択状態となっているアイコン５０の１つを現在表示されているホーム画面４０ｂに移動させたい場合、ステップＳ３２に示すように、指Ｆ１を用いてそのアイコン５０をタップする。スマートフォン１は、配置変更モードにおいて、選択状態にあるアイコン５０に対するタップを検出すると、ステップＳ３３に示すように、タップされたアイコン５０を非選択状態とする。その結果、非選択状態となったアイコン５０は、非選択状態にある他のアイコン５０と同様に、ホーム画面４０ｂに配置されているものとして扱われるようになる。
【００７０】
選択状態となっているアイコンを非選択状態にするためのジェスチャは、ロングタップ又はダブルタップ等の他のジェスチャでもよい。スマートフォン１は、非選択状態になったアイコンに対するタップ等のジェスチャが検出された場合、そのアイコンを選択状態に戻す。
【００７１】
利用者は、選択状態となっているもう１つのアイコン５０をホーム画面４０ｃに移動させたい場合、表示されるホーム画面を切り替えるための所定のジェスチャを行ってホーム画面４０ｃをディスプレイ２Ａに表示させる。
【００７２】
図８に示す例では、スマートフォン１は、配置変更モードにおいて指Ｆ１による左フリックを検出したことを契機として、ステップＳ３４に示すように、ディスプレイ２Ａに表示する画面をホーム画面４０ｂからホーム画面４０ｃへ切り替えている。そして、スマートフォン１は、ホーム画面４０ｃに配置されているアイコン５０を非選択状態にしている。また、スマートフォン１は、選択状態にあるアイコン５０を、ホーム画面４０ｂが表示されていたときと同じ位置に表示させている。ステップＳ３２でタップされたアイコン５０は、ホーム画面４０ｂに配置されているものとして扱われるため、ステップＳ３４では表示されない。
【００７３】
利用者は、選択状態となっているアイコン５０の移動先を確定させるため、ステップＳ３５に示すように、指Ｆ１を用いてそのアイコン５０をタップする。スマートフォン１は、選択状態にあるアイコン５０に対するタップを検出すると、タップされたアイコン５０を非選択状態とする。そして、スマートフォン１は、選択状態にあるアイコンがなくなると、ステップＳ３６に示すように、配置変更モードを終了させ、アイコン５０の選択状態又は非選択状態を解除して通常の状態に戻す。その結果、選択状態となっていたもう１つのアイコン５０は、利用者の意図した通りに、ホーム画面４０ｃに移動している。
【００７４】
このように、スマートフォン１は、選択状態にあるアイコンの移動先を個別に確定させることもできる。また、スマートフォン１は、選択状態にあるアイコンをそれぞれ異なるホーム画面に移動させることもできる。
【００７５】
図９は、ホーム画面間でのアイコンの移動の他の例を示す図である。図９に示すステップＳ４１では、図７に示したステップＳ２３と同様に、配置変更モードにおいて、ホーム画面４０ａ上の２つのアイコン５０が選択状態になっている。
【００７６】
利用者は、選択状態となっている２つのアイコン５０をホーム画面４０ｃに移動させたい場合、ステップＳ４１及びステップＳ４２に示すように、表示されるホーム画面を切り替えるための所定のジェスチャを行う。その結果、スマートフォン１は、ステップＳ４３に示すように、ホーム画面４０ｃをディスプレイ２Ａに表示させる。
【００７７】
ステップＳ４３では、ホーム画面４０ｃに配置されていたアイコン５０が非選択状態になっている。また、選択状態にある２つのアイコン５０が、ホーム画面４０ａが表示されていたときと同じ位置に表示されている。そして、非選択状態にあるアイコン５０と、選択状態にあるアイコン５０の１つとが同じ位置に表示されている。
【００７８】
このように、非選択状態にあるアイコン５０と、選択状態にあるアイコン５０とが同じ位置に表示される場合、スマートフォン１は、少なくとも一方のアイコン５０の位置をずらす。その結果、利用者は、２つのアイコン５０が同じ位置に表示されていることに容易に気付くことができる。そして、スマートフォン１は、選択状態にあるアイコン５０が他のアイコン５０と同じ位置に表示されている場合、そのアイコン５０が非選択状態に移行することを禁止する。
【００７９】
この場合、利用者は、ステップＳ４４及びステップＳ４５に示すように、選択状態にあるアイコン５０をドラッグすることによって、アイコン５０の重なりを解消することができる。スマートフォン１は、選択状態にあるアイコン５０のドラッグが検出された場合、そのアイコン５０をドラッグにおけるリリースが検出された位置に移動させる。ただし、リリースが検出された位置に他のアイコン５０が表示されている場合、スマートフォン１は、ドラッグされたアイコン５０の移動をキャンセルする。
【００８０】
アイコン５０の重なりが解消された後、スマートフォン１は、検出した操作に応じて配置変更モードを終了させる。その結果、ステップＳ４６に示すように、ホーム画面４０ａに表示されていた２つのアイコン５０は、利用者の意図した通りに、ホーム画面４０ｃに移動する。
【００８１】
図９では、アイコン５０の重なりを解消するために選択状態にあるアイコン５０をドラッグする例を示したが、ドラッグによってホーム画面内でアイコン５０を移動させる目的は、これに限定されない。例えば、利用者は、ホーム画面上でのアイコン５０のレイアウトを好みに合わせて変更するために、選択状態にあるアイコン５０をドラッグによって移動させることができる。
【００８２】
図１０は、ホーム画面上でのアイコンの入れ替えの例を示す図である。図１０に示すステップＳ５１では、図７に示したステップＳ２４と同様に、配置変更モードにおいてホーム画面が切り替えられ、選択状態にある２つのアイコンが切り替え前と同じ位置に表示されている。
【００８３】
利用者は、選択状態となっているアイコン５０の１つを非選択状態のアイコン５０と入れ替えたい場合、まず、ステップＳ５２に示すように、指Ｆ１を用いて非選択状態のアイコン５０をタップする。すると、スマートフォン１は、ステップＳ５３に示すように、タップされたアイコン５０を選択状態にする。
【００８４】
続いて、利用者は、ステップＳ５４に示すように、入れ替えたい一方のアイコン５０に指Ｆ１でタッチし、入れ替えたい一方のアイコン５０に指Ｆ２でタッチする。そして、利用者は、指Ｆ１と指Ｆ２とを用いてピンチインを行う。スマートフォン１は、選択状態にある２つのアイコン５０を起点とするピンチインが検出された場合、ステップＳ５５に示すように、それらのアイコン５０が表示される位置を入れ替える。
【００８５】
その後、スマートフォン１は、検出した操作に応じて配置変更モードを終了させる。その結果、ステップＳ５６に示すように、ホーム画面４０ｂにおいて２つのアイコン５０の表示される位置が、利用者の意図した通りに入れ替わる。
【００８６】
アイコン５０を表示する位置の入れ替えは、アイコン５０をドラッグすることによって実行することもできるが、その場合、いずれかのアイコン５０を一時的に退避するスペースが必要となる上に、ドラッグを３回以上実行しなければならない。図１０に示した方式は、アイコン５０を一時的に退避するスペースが不要であり、手数も少なくて済む。
【００８７】
図１１を参照しながら、制御プログラム９Ａが提供する機能に基づく制御の処理手順の例について説明する。図１１は、利用者の指示に従ってホーム画面上のアイコンを移動させる制御の処理手順を示している。図１１に示す処理手順は、コントローラ１０が、制御プログラム９Ａを実行することによって実現される。図１１に示す処理手順は、ホーム画面４０がディスプレイ２Ａに表示されている間、繰り返して実行される。コントローラ１０は、図１１に示す処理手順と並行して、ホーム画面４０に関する制御のための他の処理手順を実行することがある。
【００８８】
コントローラ１０は、ステップＳ１０１として、タッチスクリーン２Ｂの検出結果を取得する。そして、コントローラ１０は、ステップＳ１０２として、配置変更モードが設定されているかを判定する。配置変更モードが設定されていない場合（ステップＳ１０２，Ｎｏ）、コントローラ１０は、ステップＳ１０３として、取得した検出結果に基づいて、配置変更モードを開始するためのジェスチャが行われたかを判定する。
【００８９】
配置変更モードを開始するためのジェスチャが行われた場合（ステップＳ１０３，Ｙｅｓ）、コントローラ１０は、ステップＳ１０４として、配置変更モードを設定する。そして、コントローラ１０は、ステップＳ１０５として、ジェスチャが行われたアイコンを選択状態にする。また、コントローラ１０は、ステップＳ１０６として、その他のアイコンを非選択状態にする。
【００９０】
配置変更モードを開始するためのジェスチャが行われていない場合（ステップＳ１０３，Ｎｏ）、コントローラ１０は、ステップＳ１０７として、取得した検出結果に応じた処理を実行する。例えば、取得した検出結果に基づいてアイコンがタップされたと判定した場合、コントローラ１０が、タップされたアイコンに対応するアプリケーションを起動させる。
【００９１】
ステップＳ１０２で配置変更モードが設定されていた場合（ステップＳ１０２，Ｙｅｓ）、コントローラ１０は、ステップＳ１０８として、タッチされた位置にアイコンが表示されているかを判定する。タッチされた位置にアイコンが表示されている場合（ステップＳ１０８，Ｙｅｓ）、コントローラ１０は、ステップＳ１０９として、取得した検出結果に基づいて、アイコンへのタップが行われたかを判定する。
【００９２】
アイコンへのタップが行われた場合（ステップＳ１０９，Ｙｅｓ）、コントローラ１０は、ステップＳ１１０として、タップされたアイコンが選択状態にあるかを判定する。タップされたアイコンが選択状態にない場合（ステップＳ１１０，Ｎｏ）、コントローラ１０は、ステップＳ１１１として、タップされたアイコンを選択状態にする。そして、コントローラ１０は、ステップＳ１１２として、重なっているアイコンがあるかを判定する。
【００９３】
重なっているアイコンがない場合（ステップＳ１１２，Ｎｏ）、コントローラ１０は、ステップＳ１１３として、配置変更モードを終了させるための操作が行われたかを判定する。配置変更モードを終了させるための操作が行われた場合（ステップＳ１１３，Ｙｅｓ）、コントローラ１０は、ステップＳ１１４として、配置変更モードを解除する。重なっているアイコンがある場合（ステップＳ１１２，Ｙｅｓ）、又は、配置変更モードを終了させるための操作が行われていない場合（ステップＳ１１３，Ｎｏ）、ステップＳ１１４は実行されない。
【００９４】
タップされたアイコンが選択状態にある場合（ステップＳ１１０，Ｙｅｓ）、コントローラ１０は、ステップＳ１１５として、タップされたアイコンが他のアイコンと重なっているかを判定する。タップされたアイコンが他のアイコンと重なっていない場合（ステップＳ１１５，Ｎｏ）、コントローラ１０は、ステップＳ１１６として、タップされたアイコンを非選択状態にする。そして、コントローラ１０は、ステップＳ１１７として、選択状態のアイコンがあるかを判定する。選択状態のアイコンがもうない場合（ステップＳ１１７，Ｎｏ）、コントローラ１０は、ステップＳ１１８として、配置変更モードを解除する。
【００９５】
タップされたアイコンが他のアイコンと重なっている場合（ステップＳ１１５，Ｙｅｓ）、ステップＳ１１６からステップＳ１１８は実行されない。選択状態のアイコンがある場合（ステップＳ１１７，Ｙｅｓ）、ステップＳ１１２以降が実行される。
【００９６】
アイコンへのタップが行われていない場合（ステップＳ１０９，Ｎｏ）、コントローラ１０は、ステップＳ１１９として、取得した検出結果に基づいて、アイコンのドラッグが行われたかを判定する。アイコンのドラッグが行われた場合（ステップＳ１１９，Ｙｅｓ）、コントローラ１０は、ステップＳ１２０として、ドラッグされたアイコンが選択状態にあるかを判定する。ドラッグされたアイコンが選択状態にある場合（ステップＳ１２０，Ｙｅｓ）、コントローラ１０は、ステップＳ１２１として、ドラッグのリリース位置に他のアイコンがあるかを判定する。ドラッグのリリース位置に他のアイコンがない場合（ステップＳ１２１，Ｎｏ）、コントローラ１０は、ステップＳ１２２として、ドラッグされたアイコンをリリース位置へ移動させる。その後、ステップＳ１１２以降が実行される。
【００９７】
ドラッグされたアイコンが選択状態にない場合（ステップＳ１２０，Ｎｏ）、又は、ドラッグのリリース位置に他のアイコンがある場合（ステップＳ１２１，Ｙｅｓ）、ステップＳ１２２を実行することなく、ステップＳ１１２以降が実行される。
【００９８】
アイコンのドラッグが行われていない場合（ステップＳ１１９，Ｎｏ）、コントローラ１０は、ステップＳ１２３として、取得した検出結果に基づいて、ピンチインが行われたかを判定する。ピンチインが行われた場合（ステップＳ１２３，Ｙｅｓ）、コントローラ１０は、ステップＳ１２４として、ピンチインの起点の両方に選択状態のアイコンが存在するかを判定する。ピンチインの起点の両方に選択状態のアイコンが存在する場合（ステップＳ１２４，Ｙｅｓ）、コントローラ１０は、ステップＳ１２５として、それらのアイコンが表示される位置を入れ替える。その後、ステップＳ１１２以降が実行される。
【００９９】
ピンチインの起点の少なくとも一方に選択状態のアイコンが存在しない場合（ステップＳ１２４，Ｎｏ）、ステップＳ１２５を実行することなく、ステップＳ１１２以降が実行される。
【０１００】
ピンチインが行われていない場合（ステップＳ１２３，Ｎｏ）、コントローラ１０は、ステップＳ１２６として、取得した検出結果に基づいて、アイコンが表示されている位置でフリックが行われたかを判定する。アイコンが表示されている位置でフリックが行われた場合（ステップＳ１２６，Ｙｅｓ）、コントローラ１０は、ステップＳ１２７として、フリックが行われた位置に表示されているアイコンが選択状態かを判定する。フリックが行われた位置に表示されているアイコンが選択状態でない場合（ステップＳ１２７，Ｎｏ）、コントローラ１０は、ステップＳ１２８として、選択状態のアイコンを表示したままでフリックの方向に応じてホーム画面を切り替える。そして、コントローラ１０は、ステップＳ１２９として、切り替え後のホーム画面で重なっているアイコンがあるかを判定する。重なっているアイコンがある場合（ステップＳ１２９，Ｙｅｓ）、コントローラ１０は、ステップＳ１３０として、重なっているアイコンの少なくとも一方をずらす。その後、ステップＳ１１２以降が実行される。
【０１０１】
アイコンが表示されている位置でフリックが行われていない場合（ステップＳ１２６，Ｎｏ）、ステップＳ１２７からステップＳ１３０を実行することなく、ステップＳ１１２以降が実行される。フリックが行われた位置に表示されているアイコンが選択状態である場合（ステップＳ１２７，Ｙｅｓ）、ステップＳ１２８からステップＳ１３０を実行することなく、ステップＳ１１２以降が実行される。切り替え後のホーム画面で重なっているアイコンがない場合（ステップＳ１２９，Ｎｏ）、ステップＳ１３０を実行することなく、ステップＳ１１２以降が実行される。
【０１０２】
ステップＳ１０８においてタッチされた位置にアイコンが表示されていない場合（ステップＳ１０８，Ｎｏ）、コントローラ１０は、ステップＳ１３１として、取得した検出結果に基づいて、フリックが行われたかを判定する。フリックが行われた場合（ステップＳ１３１，Ｙｅｓ）、ステップＳ１２８以降が実行される。フリックが行われていない場合（ステップＳ１３１，Ｎｏ）、ステップＳ１１２以降が実行される。
【０１０３】
本発明を完全かつ明瞭に開示するために特徴的な実施例に関し記載してきた。しかし、添付の請求項は、上記実施例に限定されるべきものでなく、本明細書に示した基礎的事項の範囲内で当該技術分野の当業者が創作しうるすべての変形例及び代替可能な構成を具現化するように構成されるべきである。
【０１０４】
例えば、図５に示した各プログラムは、複数のモジュールに分割されていてもよいし、他のプログラムと結合されていてもよい。
【０１０５】
また、上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【０１０６】
また、上記の実施形態では、アイコンを移動させるために配置変更モードへ遷移することとしたが、配置変更モードへ遷移することなくアイコンの移動を可能にしてもよい。図１２は、配置変更モードへ遷移することなくアイコンの移動を可能にする例を示す図である。図１２に示すステップＳ６１では、ホーム画面４０ａにアイコン５０が表示されている。そして、ステップＳ６２では、利用者が、指Ｆ１及び指Ｆ２を用いて２つのアイコン５０にタッチしている。
【０１０７】
続いて、ステップＳ６３では、利用者が、指Ｆ１及び指Ｆ２を用いて２つのアイコン５０にタッチしたままで、指Ｆ３を用いて左フリックを行っている。スマートフォン１は、アイコン５０にタッチしたままでフリックが行われたことを検出すると、ステップＳ６４に示すように、タッチされているアイコン５０を表示したままで、表示される画面をホーム画面４０ｂに切り替える。そして、指Ｆ１及び指Ｆ２のリリースが検出された後も、スマートフォン１は、ステップＳ６５に示すように、指Ｆ１及び指Ｆ２によってタッチされていたアイコンをホーム画面４０ｂ上に表示させる。
【０１０８】
このように、図１２に示す方式では、配置変更モードへ遷移することなくホーム画面間でのアイコンの移動が実現される。図１２に示す方式は、アイコン５０をタッチする操作と、ホーム画面を切り替える際に通常行う操作との組み合わせによって実現される。アイコン５０をタッチする操作は、移動を妨害するために押さえつける動作を連想させる。このため、図１２に示す方式の操作は、直感的かつ容易に実行することができる。
【符号の説明】
【０１０９】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０    コントローラ
１２、１３  カメラ
１４    コネクタ
１５    加速度センサ 
１６    方位センサ
１７    ジャイロスコープ
２０    ハウジング
【図１】
0005792017.tif 000002
【図２】
0005792017.tif 000003
【図３】
0005792017.tif 000004
【図４】
0005792017.tif 000005
【図５】
0005792017.tif 000006
【図６】
0005792017.tif 000007
【図７】
0005792017.tif 000008
【図８】
0005792017.tif 000009
【図９】
0005792017.tif 000010
【図１０】
0005792017.tif 000011
【図１１】
0005792017.tif 000012
【図１２】
0005792017.tif 000013